(57)【特許請求の範囲】
【請求項１】
長手方向の一端部にクレーンのワイヤ連結部が設けられて他端部にフック部が設けられる吊りフックと、
長手方向の一端部に吊荷連結部が設けられて他端部に前記フック部が切欠部を介して係止する係止部が設けられると共に前記吊りフックの上昇時に前記フック部を前記切欠部を介して前記係止部に案内する案内部が設けられる連結治具と、
を備えることを特徴とするワイヤ掛け用治具。
【請求項２】
前記フック部は、円板形状をなし、前記案内部は、前記フック部の直径の長さより間隔の狭い一対の案内ロッドを有し、前記一対の案内ロッドは、前記連結治具における長手方向に交差する方向で且つ前記吊荷連結部側に向けて外方に延出することを特徴とする請求項１に記載のワイヤ掛け用治具。
【請求項３】
前記一対の案内ロッドは、前記フック部を前記係止部に案内する案内経路を有することを特徴とする請求項２に記載のワイヤ掛け用治具。
【請求項４】
前記連結治具は、一側部に開口部が形成されて鉛直方向に沿って延出される本体部と、前記本体部における鉛直方向の上端部に連結されて前記開口部に連通するように切り欠かれた孔形状をなす前記係止部が設けられる係止板とを有し、
前記吊りフックは、長手方向に延出する軸部と、前記軸部の端部側に設けられて前記軸部より大径で前記係止部に嵌合する嵌合部と、前記軸部と前記嵌合部とを連結する円錐部と、前記嵌合部に連結されて前記嵌合部より大径で円板形状をなす前記フック部とを有することを特徴とする請求項１から請求項３のいずれか一項に記載のワイヤ掛け用治具。
【請求項５】
前記吊りフックは、前記連結治具に対する鉛直方向の位置を視認可能な識別部が設けられることを特徴とする請求項１から請求項４のいずれか一項に記載のワイヤ掛け用治具。
【請求項６】
請求項１から請求項５のいずれか一項に記載のワイヤ掛け用治具と、
前記連結治具を保持する保持ブラケットと、
を備えることを特徴とするワイヤ掛け装置。
【請求項７】
前記保持ブラケットは、水平方向に沿う支持部材により支持され、前記連結治具の上端部が吊下げ係止される治具係止部が設けられることを特徴とする請求項６に記載のワイヤ掛け装置。
【請求項８】
高所に載置されて鉛直方向の下端部に吊荷が連結された連結治具にクレーンによりワイヤを介して吊下げられた吊りフックを連結するワイヤ掛け方法であって、
前記吊りフックを前記連結治具に向けて水平方向に移動して前記連結治具から水平方向に突出する案内部の上方に位置させる工程と、
前記吊りフックを下降して下端部に設けられるフック部を前記案内部より下方に位置させる工程と、
前記吊りフックを上昇させることにより前記案内部により案内されて前記連結治具の切欠部を介して係止部に係止する工程と、
前記吊りフックを上昇させて前記連結治具を介して吊荷を吊下げる工程と、
を有することを特徴とするワイヤ掛け方法。
【発明の詳細な説明】
【技術分野】
【０００１】
本発明は、クレーンにより大型の製品を移動するときに使用されるワイヤ掛け用治具及びワイヤ掛け装置、並びに、ワイヤ掛け方法に関するものである。
【背景技術】
【０００２】
例えば、天井クレーンにより各種の大型製品を吊上げて移動するとき、天井クレーンのフックに大型製品を支持するワイヤロープを連結し、天井クレーンによりワイヤロープを介して大型製品を吊上げて移動する。この作業に使用されるワイヤロープは、重量物であり、大型製品の種類に応じて長さや太さが相違することから、複数種類が用意されている。この複数のワイヤロープは、吊りワイヤに支持され、工場の高所に吊下げ保持されている。そして、使用時に、作業者が天井クレーンを操作し、天井クレーンのフックとワイヤロープが支持された吊りワイヤとを連結し、ワイヤロープを地上に下ろして使用している。このような技術としては、例えば、下記特許文献１に記載されたものがある。
【先行技術文献】
【特許文献】
【０００３】
【特許文献１】実開昭５８−１８１４６９号公報
【発明の概要】
【発明が解決しようとする課題】
【０００４】
ところで、ワイヤロープが必要であるとき、地上にいる一人の作業者が天井クレーンを操作し、高所にいるもう一人の作業者が天井クレーンのフックをワイヤロープが支持された吊りワイヤに連結している。そのため、ワイヤロープを地上に下ろすとき、２人の作業者が必要となり、作業性がよくないという問題がある。
【０００５】
本発明は上述した課題を解決するものであり、玉掛け作業の作業性の向上を図るワイヤ掛け用治具及びワイヤ掛け装置並びにワイヤ掛け方法を提供することを目的とする。
【課題を解決するための手段】
【０００６】
上記の目的を達成するための本発明のワイヤ掛け用治具は、長手方向の一端部にクレーンのワイヤ連結部が設けられて他端部にフック部が設けられる吊りフックと、長手方向の一端部に吊荷連結部が設けられて他端部に前記フック部が係止する係止部が設けられると共に前記フック部を前記係止部に案内する案内部が設けられる連結治具と、を備えることを特徴とするものである。
【０００７】
従って、吊りフックを上昇させると、フック部が連結治具の案内部に案内されて係止部に係止することとなり、吊荷連結部を介して吊荷が吊下げられた連結治具にクレーンからのワイヤに連結された吊りフックを容易に連結することができ、玉掛け作業の作業性を向上することができる。
【０００８】
本発明のワイヤ掛け用治具では、前記案内部は、前記フック部の長さより間隔の狭い一対の案内ロッドを有し、前記一対の案内ロッドは、前記連結治具における長手方向に交差する方向で且つ前記吊荷連結部側に向けて外方に延出することを特徴としている。
【０００９】
従って、まず、吊りフックを下降させると、フック部が連結治具の一対の案内ロッドの上部側に当接して先端部側に導かれた後、一対の案内ロッドの下部側に回り込み、次に、吊りフックを上昇させると、フック部が一対の案内ロッドの下部側に接触しながら導かれて係止部に係止することとなり、吊荷連結部を介して吊荷が吊下げられた連結治具にクレーンのワイヤに連結された吊りフックを容易に連結することができる。
【００１０】
本発明のワイヤ掛け用治具では、前記一対の案内ロッドは、前記フック部を前記係止部に案内する案内経路を有することを特徴としている。
【００１１】
従って、吊りフックを上昇させると、フック部が一対の案内ロッドの案内経路に沿って移動して係止部に係止することとなり、連結治具に吊りフックを容易に連結することができる。
【００１２】
本発明のワイヤ掛け用治具では、前記連結治具は、一側部に開口部が形成されて鉛直方向に沿って延出される本体部と、前記本体部における鉛直方向の上端部に連結されて前記開口部に連通するように切り欠かれた孔形状をなす前記係止部が設けられる係止板とを有し、前記吊りフックは、長手方向に延出する軸部と、前記軸部の端部側に設けられて前記軸部より大径で前記係止部に嵌合する嵌合部と、前記軸部と前記嵌合部とを連結する円錐部と、前記嵌合部に連結されて前記嵌合部より大径で円板形状をなす前記フック部とを有することを特徴としている。
【００１３】
従って、吊りフックを上昇させると、嵌合部が孔形状の係止部に嵌合すると共に、フック部が孔形状の係止部に係止することとなり、連結治具に吊りフックを容易に連結することができる。
【００１４】
本発明のワイヤ掛け用治具では、前記吊りフックは、前記連結治具に対する鉛直方向の位置を視認可能な識別部が設けられることを特徴としている。
【００１５】
従って、連結治具に対して吊りフックを昇降するとき、識別部により連結治具に対する吊りフックの昇降位置を遠方から容易に視認することができ、操作性を向上することができる。
【００１６】
また、本発明のワイヤ掛け装置は、前記ワイヤ掛け用治具と、前記連結治具を保持する保持ブラケットと、を備えることを特徴とするものである。
【００１７】
従って、保持ブラケットに保持された連結治具にクレーンのワイヤに連結された吊りフックを容易に連結することができ、玉掛け作業の作業性を向上することができる。
【００１８】
本発明のワイヤ掛け装置では、前記保持ブラケットは、水平方向に沿う支持部材により支持され、前記連結治具の上端部が吊下げ係止される治具係止部が設けられることを特徴としている。
【００１９】
従って、連結治具が支持部材により支持された保持ブラケットの治具係止部に吊下げ係止されており、吊りフックを容易に連結治具に連結することができる。
【００２０】
また、本発明のワイヤ掛け方法は、高所に載置されて鉛直方向の下端部に吊荷が連結された連結治具にクレーンによりワイヤを介して吊下げられた吊りフックを連結するワイヤ掛け方法であって、前記吊りフックを前記連結治具に向けて水平方向に移動して前記連結治具から水平方向に突出する案内部の上方に位置させる工程と、前記吊りフックを下降して下端部に設けられるフック部を前記案内部より下方に位置させる工程と、前記吊りフックを上昇させて前記案内部により案内されて前記連結治具の係止部に係止する工程と、前記吊りフックを上昇させて前記連結治具を介して吊荷を吊下げる工程と、を有することを特徴とするものである。
【００２１】
従って、吊荷連結部を介して吊荷が吊下げられた連結治具にクレーンのワイヤに連結された吊りフックを容易に連結することができ、玉掛け作業の作業性を向上することができる。
【発明の効果】
【００２２】
本発明のワイヤ掛け用治具及びワイヤ掛け装置並びにワイヤ掛け方法によれば、フック部が設けられる吊りフックと、フック部が係止する係止部とフック部を係止部に案内する案内部が設けられる連結治具とを備えるので、玉掛け作業の作業性を向上することができる。
【図面の簡単な説明】
【００２３】
【図１】図１は、本実施形態のワイヤ掛け装置を表す正面図である。
【図２】図２は、ワイヤ掛け装置を表す平面図である。
【図３】図３は、ワイヤ掛け装置を表す縦断面図である。
【図４】図４は、吊りフックを表す正面図である。
【図５】図５は、連結治具を表す正面図である。
【図６】図６は、連結治具を表す平面図である。
【図７】図７は、連結治具を表す側面図である。
【図８】図８は、保持ブラケットを表す正面図である。
【図９】図９は、保持ブラケットを表す平面図である。
【図１０】図１０は、保持ブラケットを表す側面図である。
【図１１】図１１は、吊荷の吊下げ保持状態を概略図である。
【図１２】図１２は、吊りフックと連結治具との連結状態を表す概略図である。
【図１３】図１３は、吊荷の吊下げ状態を表す概略図である。
【図１４】図１４は、吊りフックと連結治具との連結動作を表す概略図である。
【図１５】図１５は、吊りフックと連結治具との連結動作を表す概略図である。
【発明を実施するための形態】
【００２４】
以下に添付図面を参照して、本発明に係るワイヤ掛け用治具及びワイヤ掛け装置並びにワイヤ掛け方法の好適な実施形態を詳細に説明する。なお、この実施形態により本発明が限定されるものではなく、また、実施形態が複数ある場合には、各実施形態を組み合わせて構成するものも含むものである。
【００２５】
図１は、本実施形態のワイヤ掛け装置を表す正面図、図２は、ワイヤ掛け装置を表す平面図、図３は、ワイヤ掛け装置を表す縦断面図である。
【００２６】
本実施形態において、図１から図３に示すように、ワイヤ掛け用治具１０は、吊りフック１１と、連結治具１２とを備えており、ワイヤ掛け装置Ａは、ワイヤ掛け用治具１０と、保持ブラケット１３、つまり、吊りフック１１と、連結治具１２と、保持ブラケット１３とを備えている。
【００２７】
まず、吊りフック１１につい説明する。図４は、吊りフックを表す正面図である。
【００２８】
吊りフック１１は、図４に示すように、鉛直方向の上部から下部に向けて、ワイヤ連結部２１と、軸部２２と、円錐部２３と、嵌合部２４と、フック部２５とが設けられて構成されている。軸部２２は、所定の直径を有する円柱形状をなし、所定の長さを有している。ワイヤ連結部２１は、軸部２２における長手方向（鉛直方向）の一端部（上端部）に一体に設けられており、クレーンからのワイヤが連結される連結孔２６が形成されている。
【００２９】
嵌合部２４は、軸部２２の直径より大径の直径を有する円柱形状をなしている。円錐部２３は、軸部２２と嵌合部２４を連結するものである。フック部２５は、嵌合部２４における鉛直方向における下端部に締結ボルト２７により固定されている。フック部２５は、長手方向（鉛直方向）に交差する径方向（水平方向）に延出するような円板形状をなしている。
【００３０】
また、吊りフック１１は、作業者が鉛直方向における位置を視認可能な２つの識別部２８，２９が設けられている。第１識別部２８は、軸部２２における鉛直方向の上部側に設けられ、第２識別部２９は、軸部２２における鉛直方向の下部側に設けられている。各識別部２８，２９は、異なる色の着色により構成されるものであるが、着色に限らず、例えば、マークや模様などにより構成してもよい。
【００３１】
次に、連結治具１２について説明する。図５は、連結治具を表す正面図、図６は、連結治具を表す平面図、図７は、連結治具を表す側面図である。
【００３２】
連結治具１２は、図５から図７に示すように、本体部３１と、係止板３２と、吊荷連結部３３と、案内部３４とから構成されている。本体部３１は、一側部に開口部３５が形成されるようなコ字断面形状をなし、略円筒形状をなして鉛直方向に沿って延出されている。係止板３２は、本体部３１における長手方向（鉛直方向）の一端部（上端部）に固定されており、吊りフック１１のフック部２５が係止する係止孔（係止部）３６が設けられている。即ち、係止板３２は、円板形状をなし、中心部に係止孔３６が形成されると共に、本体部３１の開口部３５に連通するように切り欠かれた切欠部３７が形成されている。この場合、切欠部３７は、係止孔３６に連通するほぼ略９０度をなす扇形状をとなっている。
【００３３】
また、連結治具１２は、本体部３１における長手方向（鉛直方向）の一端部（下端部）に水平をなす取付板３８が固定されており、吊荷連結部３３は、取付板３８の下面に固定されている。この吊荷連結部３３は、吊荷を保持したワイヤが連結される連結孔３９が形成されている。
【００３４】
案内部３４は、吊りフック１１が連結治具１２に連結されるとき、フック部２５を係止孔３６に案内するものである。この案内部３４は、フック部２５の直径（長さ）より間隔の狭い一対の案内ロッド４１，４２から構成され、一対の案内ロッド４１，４２は、本体部３１における長手方向（鉛直方向）に交差する径方向（水平方向）で且つ吊荷連結部３３側に向けて外方に延出している。即ち、一対の案内ロッド４１，４２は、直線部４１ａ，４２ａと傾斜部４１ｂ，４２ｂとが一体に設けられた屈曲形状をなし、直線部４１ａ，４２ａと傾斜部４１ｂ，４２ｂの屈曲角度が鈍角に設定されている。直線部４１ａ，４２ａは、本体部３１における上端部側の内側に鉛直方向に沿って固定されており、傾斜部４１ｂ，４２ｂは、本体部３１における開口部３５から外方で、且つ、下方に傾斜するように突出している。そして、案内ロッド４１，４２は、傾斜部４１ｂ，４２ｂの上部にフック部２５を外方に案内する第１案内経路４１ｃ，４２ｃが設けられ、下部にフック部２５を係止孔３６に案内する第２案内経路４１ｄ，４２ｄが設けられている。
【００３５】
この場合、吊りフック１１における嵌合部２４の外径が、連結治具１２における係止孔３６の内径より若干小径であり、嵌合部２４が係止孔３６に嵌合可能となっている。また、吊りフック１１におけるフック部２５の外径が、連結治具１２における本体部３１の内径より小径であり、係止孔３６の内径より大径であり、フック部２５が係止孔３６に係止可能となっている。
【００３６】
最後に、保持ブラケット１３について説明する。図８は、保持ブラケットを表す正面図、図９は、保持ブラケットを表す平面図、図１０は、保持ブラケットを表す側面図である。
【００３７】
保持ブラケット１３は、図８から図１０に示すように、保持板５１と、保持ピン５２，５３と、支持リング５４，５５とから構成されている。保持板５１は、矩形をなす平板であり、中心部に一部が切り欠かれた孔形状をなす治具係止部５６が形成されている。この治具係止部５６は、半円形状をなし、一部が開放された側に一対の案内部５７，５８が形成されている。そして、保持板５１は、治具係止部５６の両側に案内部５７，５８に隣接して保持ピン５２，５３が鉛直方向に沿って固定されている。
【００３８】
保持板５１は、下面に一対の支持板５９，６０が固定され、一対の支持板５９，６０は、支持リング５４，５５の一端部が固定されている。例えば、工場は、高所に水平方向に沿って支持筒（支持部材）Ｐ（図２参照）が架設されており、支持リング５４，５５は、この支持筒Ｐの外周部に嵌合するように連結されている。
【００３９】
ここで、上述した本実施形態のワイヤ掛け用治具１０及びワイヤ掛け装置Ａを用いたワイヤ掛け方法について説明する。図１１は、吊荷の吊下げ保持状態を概略図、図１２は、吊りフックと連結治具との連結状態を表す概略図、図１３は、吊荷の吊下げ状態を表す概略図である。また、図１４及び図１５は、吊りフックと連結治具との連結動作を表す概略図である。
【００４０】
本実施形態のワイヤ掛け方法は、図１１から図１３に示すように、高所に載置されて鉛直方向の下端部に吊りワイヤ７１を介して吊荷７２が連結された連結治具１２にクレーンフック７４からクレーンワイヤ７５を介して吊下げられた吊りフック１１を連結するワイヤ掛け方法であって、吊りフック１１を連結治具１２に向けて水平方向に移動して連結治具１２から水平方向に突出する案内部３４の上方に位置させる工程と、吊りフック１１を下降して下端部に設けられるフック部２５を案内部３４より下方に位置させる工程と、吊りフック１１を上昇させて案内部３４により案内されて連結治具１２の係止孔３６に係止する工程と、吊りフック１１を上昇させて連結治具１２を介して吊荷７２を吊下げる工程とを有する。
【００４１】
即ち、図１１に示すように、保持ブラケット１３は、支持リング５４，５５により高所に水平方向に沿って架設された支持筒Ｐに支持されている。吊荷７２は、吊りワイヤ７１により支持され、吊りワイヤ７１は、連結治具１２の吊荷連結部３３に連結されている。連結治具１２は、本体部３１が保持ブラケット１３の治具係止部５６に侵入し、係止板３２が保持板５１上に載置されると共に、保持ピン５２，５３により水平方向の移動が拘束されている。そのため、吊荷７２は、吊りワイヤ７１を介して保持ブラケット１３に保持された連結治具１２に吊下げ支持されることとなる。
【００４２】
吊荷７２を使用するために床面に下ろす場合、作業者は、床面上でクレーンを操作し、吊りフック１１を連結治具１２に連結し、この吊りフック１１により連結治具１２を移動して吊荷７２を床面に下ろす。
【００４３】
まず、図１４に実線で示すように、作業者がクレーンを操作し、吊りフック１１を連結治具１２に向けて水平方向に移動し、この吊りフック１１を連結治具１２から外方に延出する一対の案内ロッド４１，４２（案内部３４）における傾斜部４１ｂ，４２ｂの上方に位置させる。次に、クレーンにより吊りフック１１を下降していく。すると、吊りフック１１は、フック部２５の外周部が案内ロッド４１，４２に当接し、図１４に二点鎖線で示すように、傾斜部４１ｂ，４２ｂの第１案内経路４１ｃ，４２ｃに接触しながら、本体部３１から離間する水平方向（図１４の左方）に案内される。
【００４４】
そして、吊りフック１１が更に下降し、フック部２５が案内ロッド４１，４２の先端部より本体部３１から離間する水平方向に移動すると、フック部２５と案内ロッド４１，４２との当接が解除され、吊りフック１１は、図１５に実線で示すように、フック部２５が案内ロッド４１，４２の下方を通って傾斜部４１ｂ，４２ｂより下方に位置する。この場合、吊りフック１１は、下降するとき、吊下げ支点としてのクレーンフック７４（図１２参照）の水平方向における位置は変動せず、吊りフック１１だけが案内ロッド４１，４２の傾斜部４１ｂ，４２ｂにより水平方向にずれて移動する。そのため、吊りフック１１は、フック部２５と案内ロッド４１，４２の当接が解除されると、吊下げ支点としてのクレーンフック７４（図１２参照）の直下に移動するため、結果として、吊りフック１１は、フック部２５が傾斜部４１ｂ，４２ｂの下方に移動することとなる。
【００４５】
このとき、吊りフック１１は、第１識別部２８が案内ロッド４１，４２の直線部４１ａ，４２ａに対向し、第２識別部２９が傾斜部４１ｂ，４２ｂと対向する。作業者は、この連結治具１２に対して各識別部２８，２９の位置を視認することで、吊りフック１１のフック部２５が傾斜部４１ｂ，４２ｂの下方に移動したことを把握する。ここで、作業者は、クレーンを操作し、吊りフック１１を上昇させる。
【００４６】
吊りフック１１が上昇すると、軸部２２（図４参照）が一対の案内ロッド４１，４２の間を上昇し、フック部２５の外周部が案内ロッド４１，４２に当接し、図１５に二点鎖線で示すように、傾斜部４１ｂ，４２ｂの第２案内経路４１ｄ，４２ｄに接触しながら、本体部３１に接近する水平方向（図１５の右方）に案内される。吊りフック１１が更に上昇すると、フック部２５が案内ロッド４１，４２の傾斜部４１ｂ，４２ｂから直線部４１ａ，４２ａに接触する。そして、吊りフック１１は、フック部２５が直線部４１ａ，４２ａに案内され、最終的に、係止孔３６に係止する。
【００４７】
つまり、図１から図３に示すように、吊りフック１１は、嵌合部２４が係止孔３６に嵌合し、フック部２５が係止板３２の下面に当接する。そのため、作業者は、クレーンを操作し続けて吊りフック１１を上昇させると、吊フック１１が連結治具１２を吊上げ、保持ブラケット１３に対して上昇させ、吊荷７２を吊上げ、床面に下ろすことができる。
【００４８】
一方、吊荷７２の使用が終了すると、作業者は、前述と逆のクレーン操作により、吊荷７２を、吊りワイヤ７１を介して保持ブラケット１３に保持された連結治具１２に吊下げ支持する。図１１から図１３に示すように、吊荷７２を吊りワイヤ７１に支持させ、吊りワイヤ７１を連結治具１２に連結する。また、クレーンフック７４のクレーンワイヤ７５を吊りフック１１に連結する。そして、作業者は、クレーンを操作し、吊フック１１を連結治具１２に連結し、そのまま上昇させる。すると、クレーンにより吊フック１１及び連結治具１２を介して吊荷７２を吊上げることができる。
【００４９】
その後、連結治具１２を保持ブラケット１３に向けて水平方向に移動して保持ブラケット１３の上方に位置させる。ここで、吊りフック１１を下降して連結治具１２を保持ブラケット１３の治具係止部５６に係止させる。そして、吊りフック１１を更に下降し、フック部２５が案内ロッド４１，４２より下方に位置したとき、吊りフック１１を水平方向に移動することで、フック部２５と連結治具１２との連結が解除される。
【００５０】
このように本実施形態のワイヤ掛け用治具にあっては、長手方向の一端部にクレーンのワイヤ連結部２１が設けられて他端部にフック部２５が設けられる吊りフック１１と、長手方向の一端部に吊荷連結部３３が設けられて他端部にフック部２５が係止する係止孔３６が設けられると共にフック部２５を係止孔３６に案内する案内部３４が設けられる連結治具１２とを備えている。
【００５１】
従って、吊りフック１１を上昇させると、フック部２５が連結治具１２の案内部３４に案内されて係止孔３６に係止することとなり、吊荷連結部３３を介して吊荷７２が吊下げられた連結治具１２にクレーンワイヤ７５に連結された吊りフック１１を容易に連結することができる。その結果、連結治具１２に吊りフック１１を連結する作業を１人の作業者により実施することができ、玉掛け作業の作業性を向上することができる。
【００５２】
本実施形態のワイヤ掛け用治具では、案内部３４として、フック部２５の直径より間隔の狭い一対の案内ロッド４１，４２を設け、一対の案内ロッド４１，４２は、連結治具１２における長手方向に交差する方向で且つ吊荷連結部３３側に向けて外方に延出している。従って、まず、吊りフック１１を下降させると、フック部２５が連結治具１２の一対の案内ロッド４１，４２の上部側に当接して先端部側に導かれた後、一対の案内ロッド４１，４２の下部側に回り込み、次に、吊りフック１１を上昇させると、フック部２５が一対の案内ロッド４１，４２の下部側に接触しながら導かれて係止孔３６に係止することとなり、連結治具１２に吊りフック１１を容易に連結することができる。
【００５３】
本実施形態のワイヤ掛け用治具では、一対の案内ロッド４１，４２にフック部２５を係止孔３６に案内する第１案内経路４１ｃ，４２ｃと第２案内経路４１ｄ，４２ｄを設けている。従って、吊りフック１１を下降させると、フック部２５が一対の案内ロッド４１，４２の第１案内経路４１ｃ，４２ｃに案内されて一対の案内ロッド４１，４２の下部側に回り込み、次に、吊りフック１１を上昇させると、フック部２５が一対の案内ロッド４１，４２の第２案内経路４１ｄ，４２ｄに案内されて係止孔３６に係止することとなり、フック部２５を適正に係止孔３６に案内することで、連結治具１２に吊りフック１１を容易に連結することができる。
【００５４】
本実施形態のワイヤ掛け用治具では、連結治具１２は、一側部に開口部３５が形成されて鉛直方向に沿って延出される本体部３１と、本体部３１における鉛直方向の上端部に連結されて開口部３５に連通するように切り欠かれた孔形状をなす係止孔３６が設けられる係止板３２とを有し、吊りフック１１は、長手方向に延出する軸部２２と、軸部２２の端部側に設けられて軸部２２より大径で係止孔３６に嵌合する嵌合部２４と、軸部２２と嵌合部２４とを連結する円錐部２３と、嵌合部２４に連結されて嵌合部２４より大径で円板形状をなすフック部２５とを有している。従って、吊りフック１１を上昇させると、嵌合部２４が円錐部２３に案内されて係止孔３６に嵌合すると共に、フック部２５が係止孔３６に係止することとなり、連結治具１２に吊りフック１１を容易に連結することができる。
【００５５】
本実施形態のワイヤ掛け用治具では、吊りフック１１に連結治具１２に対する鉛直方向の位置を視認可能な識別部２８，２９を設けている。従って、連結治具１２に対して吊りフック１１を昇降するとき、識別部２８，２９により連結治具１２に対する吊りフック１１の昇降位置を容易に地上で視認することができ、操作性を向上することができる。
【００５６】
また、本実施形態のワイヤ掛け装置にあっては、ワイヤ掛け用治具１０と、連結治具１２を保持する保持ブラケット１３とを備えている。従って、保持ブラケット１３に保持された連結治具１２にクレーンワイヤ７５に連結された吊りフック１１を容易に連結することができ、玉掛け作業の作業性を向上することができる。
【００５７】
本実施形態のワイヤ掛け装置では、保持ブラケット１３を水平方向に沿う支持筒Ｐにより支持し、連結治具１２の上端部が吊下げ係止される治具係止部５６を設けている。従って、連結治具１２が支持筒Ｐにより支持された保持ブラケット１３の治具係止部５６に吊下げ係止されており、吊りフック１１を容易に連結治具１２に連結することができる。
【００５８】
また、本実施形態のワイヤ掛け方法にあっては、吊りフック１１を連結治具１２に向けて水平方向に移動して連結治具１２から水平方向に突出する案内部３４の上方に位置させる工程と、吊りフック１１を下降して下端部に設けられるフック部２５を案内部３４より下方に位置させる工程と、吊りフック１１を上昇させて案内部３４により案内されて連結治具１２の係止孔３６に係止する工程と、吊りフック１１を上昇させて連結治具１２を介して吊荷７２を吊下げる工程とを有している。
【００５９】
従って、吊荷連結部３３を介して吊荷７２が吊下げられた連結治具１２にクレーンワイヤ７５に連結された吊りフック１１を容易に連結することができ、玉掛け作業の作業性を向上することができる。
【符号の説明】
【００６０】
１０  ワイヤ掛け用治具
１１  吊りフック
１２  連結治具
１３  保持ブラケット
２１  ワイヤ連結部
２２  軸部
２３  円錐部
２４  嵌合部
２５  フック部
２８  第１識別部
２９  第２識別部
３１  本体部
３２  係止板
３３  吊荷連結部
３４  案内部
３５  開口部
３６  係止孔（係止部）
４１，４２  案内ロッド
４１ａ，４２ａ  直線部
４１ｂ，４２ｂ  傾斜部
４１ｃ，４２ｃ  第１案内経路
４１ｄ，４２ｄ  第２案内経路
５１  保持板
５２，５３  保持ピン
５４，５５  支持リング
５６  治具係止部
７１  吊りワイヤ
７２  吊荷
７４  クレーンフック
７５  クレーンワイヤ
Ａ  ワイヤ掛け装置
Ｐ  支持筒（支持部材）
【図１】
0006672074.tif 000002
【図２】
0006672074.tif 000003
【図３】
0006672074.tif 000004
【図４】
0006672074.tif 000005
【図５】
0006672074.tif 000006
【図６】
0006672074.tif 000007
【図７】
0006672074.tif 000008
【図８】
0006672074.tif 000009
【図９】
0006672074.tif 000010
【図１０】
0006672074.tif 000011
【図１１】
0006672074.tif 000012
【図１２】
0006672074.tif 000013
【図１３】
0006672074.tif 000014
【図１４】
0006672074.tif 000015
【図１５】
0006672074.tif 000016